(57)【特許請求の範囲】
【請求項１】
撮影情報ファイルを外部装置から受信可能な情報処理装置であって、
前記撮影情報ファイルのファイル名及び撮影日時を少なくとも含むファイルリストを前記外部装置から受信する受信部と、
前記ファイルリストを前記受信部が受信してから、前記受信部が受信した前記ファイルリストに含まれる前記ファイル名に対応する個々のサムネイル画像を前記受信部が受信するまでの間、前記サムネイル画像を前記受信部が受信した際に前記サムネイル画像を表示する予定の表示予定領域を、前記受信部が受信した前記ファイルリストに含まれる前記ファイル名に対応する前記撮影情報ファイルの撮影日時順に表示装置に表示し、個々の前記サムネイル画像を前記受信部が受信したら、前記サムネイル画像を対応する個々の前記表示予定領域に表示する制御部とを備え、
複数の外部装置それぞれからファイルリストを受信した場合、前記制御部は、前記受信部が受信した前記ファイルリストが前記複数の外部装置のいずれの外部装置から受信したファイルリストであるかにかかわらず、複数のファイルリストに含まれるファイル名に対応する前記サムネイル画像の前記表示予定領域を撮影日時順に前記表示装置に表示すること
を特徴とする情報処理装置。
【請求項２】
請求項１に記載の情報処理装置において、
前記表示装置において前記サムネイル画像が表示されるウィンドウのウィンドウサイズを変更する操作がなされたことに応じて、前記制御部は、前記表示装置に表示されている前記表示予定領域に対応するファイル名のサムネイル画像を送信するよう前記外部装置へ要求すること
を特徴とする情報処理装置。
【請求項３】
請求項１又は請求項２に記載の情報処理装置において、
前記表示装置において前記サムネイル画像が表示されるウィンドウにおいて表示されるサムネイル画像を変更するスクロール操作がなされたことに応じて、前記制御部は、前記表示装置に表示されている前記表示予定領域に対応するファイル名のサムネイル画像を送信するよう前記外部装置へ要求すること
を特徴とする情報処理装置。
【発明の詳細な説明】
【技術分野】
【０００１】
本発明は、情報処理装置に関する。
【背景技術】
【０００２】
デジタルカメラで撮影された撮影情報（画像及びその画像に関する情報）を、該カメラにコネクタ接続される無線装置を介して端末へ転送するようにした技術が知られている（例えば、下記特許文献１参照）。この無線装置は、端末と無線通信するための通信回路、揮発性のメモリ（ＳＤＲＡＭ）からなる画像情報の一時記憶用のバッファメモリ等を備えて構成されている。カメラで撮影された画像情報は、撮影毎に順次無線装置に送られ、バッファメモリに一時記憶された後に、一方的に端末に対して順次無線送信される。このバッファメモリは、端末と無線装置との通信速度が、無線装置とカメラとの通信速度に比べて遅いので、その速度差を補間するために設けられているものである。
【０００３】
ところで、例えば、撮影した画像を可及的速やかに配信する報道機関向けのシステムとして、無線ＬＡＮを介して、各所に点在する報道カメラマン等が電子カメラで撮影した画像情報をパーソナルコンピュータ等の管理装置に転送して、適宜に取捨選択した上で、インターネットやテレビ放送等を介して公表するといったようなシステムの開発が行われている。しかし、無線ＬＡＮは、データの転送速度がそれ程早くなく、複数のカメラから大量に画像情報が転送されると、トラフィックが過剰となって迅速な転送ができなかったり、より重要な画像の転送が後回しになったりし、即時性が重要なシステムでは問題となる懸念がある。
【０００４】
特許文献１には、複数の画像情報の差分に係る情報を送信するようにして、１枚の画像情報の量を小さくして転送するようにした技術が開示されているが、画像間で類似性がある場合にしか情報量を小さくすることはできない。また、この特許文献１に記載された無線装置が備えるバッファメモリは、単に上述した速度差を補間するために一時的な情報の記憶しかできず、画像情報は撮影順に順次に送信されるため、重要性の高い画像情報が存在する場合であっても、それよりも前に撮影された画像情報の全てが転送された後でなければ、該重要性の高い画像情報を転送することはできず、上述した即時性が重要なシステムにおける問題を根本的に解決するものではない。
【０００５】
本発明の目的は、サムネイル画像の転送に伴う通信回線のトラフィックを軽減できると共に、必要な撮影情報を転送できる情報処理装置を提供することである。
【発明の開示】
【課題を解決するための手段】
【０００７】
請求項１に記載の情報処理装置は、撮影情報ファイルを外部装置から受信可能な情報処理装置であって、前記撮影情報ファイルのファイル名及び撮影日時を少なくとも含むファイルリストを前記外部装置から受信する受信部と、前記ファイルリストを前記受信部が受信してから、前記受信部が受信した前記ファイルリストに含まれる前記ファイル名に対応する個々のサムネイル画像を前記受信部が受信するまでの間、前記サムネイル画像を前記受信部が受信した際に前記サムネイル画像を表示する予定の表示予定領域を、前記受信部が受信した前記ファイルリストに含まれる前記ファイル名に対応する前記撮影情報ファイルの撮影日時順に表示装置に表示し、個々の前記サムネイル画像を前記受信部が受信したら、前記サムネイル画像を対応する個々の前記表示予定領域に表示する制御部とを備え、複数の外部装置それぞれからファイルリストを受信した場合、前記制御部は、前記受信部が受信した前記ファイルリストが前記複数の外部装置のいずれの外部装置から受信したファイルリストであるかにかかわらず、複数のファイルリストに含まれるファイル名に対応する前記サムネイル画像の前記表示予定領域を撮影日時順に前記表示装置に表示することを特徴とする。
【０００８】
請求項２に記載の情報処理装置は、請求項１に記載の情報処理装置において、前記表示装置において前記サムネイル画像が表示されるウィンドウのウィンドウサイズを変更する操作がなされたことに応じて、前記制御部は、前記表示装置に表示されている前記表示予定領域に対応するファイル名のサムネイル画像を送信するよう前記外部装置へ要求することを特徴とする。
【０００９】
請求項３に記載の情報処理装置は、請求項１又は請求項２に記載の情報処理装置において、前記表示装置において前記サムネイル画像が表示されるウィンドウにおいて表示されるサムネイル画像を変更するスクロール操作がなされたことに応じて、前記制御部は、前記表示装置に表示されている前記表示予定領域に対応するファイル名のサムネイル画像を送信するよう前記外部装置へ要求することを特徴とする。
【発明の効果】
【００１２】
本発明によれば、サムネイル画像の転送に伴う通信回線のトラフィックを軽減できると共に、必要な撮影情報を転送できるようになる。
【発明を実施するための最良の形態】
【００１３】
以下、本発明の実施形態について、図面を参照して詳細に説明する。
【００１４】
〔通信システムの全体構成〕
図１は本発明の実施形態に係る通信システムの全体構成を示すブロック図である。この通信システムは、一例として、それぞれ無線装置としての無線アダプタ（ワイヤレストランスミッタ）ＷＴ（ＷＴ１〜ＷＴ３）が接続された複数（ここでは３台）の撮影装置としての電子カメラＣＭ（ＣＭ１〜ＣＭ３）と、パーソナルコンピュータ等からなる管理装置ＰＣとを備えて構成されている。なお、電子カメラＣＭ及び無線アダプタＷＴの台数は３台に限定されず、１〜２台、又は４台以上であってもよい。なお、本願において、無線装置という用語には、撮影装置に着脱可能に接続される無線アダプタ単体、該無線アダプタが接続された状態における撮影装置及び該無線アダプタの全体、あるいは無線通信機能を具備する撮影装置にあっては当該無線通信機能を具備する撮影装置が含まれる。
【００１５】
各無線アダプタＷＴ１〜ＷＴ３と管理装置ＰＣとは、無線ＬＡＮ回線ＷＬを介して無線通信を行うことができ、各電子カメラＣＭ１〜ＣＭ３で撮影された画像（撮影画像）に係る画像情報及び該撮影画像に関連する関連情報を含む撮影情報ファイルは、無線アダプタＷＴ１〜ＷＴ３及び無線ＬＡＮ回線ＷＬを介して、管理装置ＰＣに転送することができるようになっている。
【００１６】
この通信システムを、例えば報道等に用いられる画像配信システムとして利用する場合には、各地に派遣された報道カメラマン等により電子カメラＣＭ１〜ＣＭ３を用いて撮影され、転送されてきた撮影情報ファイル内の画像情報や関連情報を、本社等に設置された管理装置ＰＣが備える表示装置に表示させ、編集者等が適宜に選択した画像を、インターネット等を介して配信することにより、高い即時性を実現することが可能である。
【００１７】
無線アダプタＷＴ１〜ＷＴ３と管理装置ＰＣとの間の無線通信は、無線ＬＡＮ回線ＷＬのアクセスポイント（不図示）を介して通信するインフラストラクチャーモード、又はアクセスポイントを中継せずに直接無線通信するアドホックモードの何れにも対応可能である。この実施形態では、広域性が高い公衆無線ＬＡＮ回線ＷＬのアクセスポイントを介して通信するものとする。
【００１８】
〔電子カメラの概略構成〕
図２は本発明の実施形態に係る撮影装置としての電子カメラの概略構成を模式的に示す断面図である。この実施形態のカメラは、一眼レフ方式のデジタルカメラである。但し、この通信システムに用いることができるカメラとしては、一眼レフ方式のデジタルカメラに限られず、コンパクトデジタルカメラ、動画を記録するデジタルビデオカメラ、その他の電子的に撮影する機能を備える装置が含まれる。
【００１９】
図２において、撮影レンズＣＬを介した被写体の光学像は、ミラーダウン状態にあるクイックリターンミラー１１（図２に二点鎖線で示す）により上方に反射され、フォーカシングスクリーン（焦点板）１２、ペンタ（ダハ）プリズム１３、接眼レンズ系１４等を有するファインダＦＤを介して接眼窓１５に導かれ、撮影者は接眼窓１５を介して、当該被写体の光学像を視認可能となっている。
【００２０】
不図示のレリーズスイッチ（ボタン）が押下（全押し）されると、クイックリターンミラー１１が同図で時計方向に回動して、撮影レンズＣＬの光路から待避され、撮影レンズＣＬを介した被写体の像は、シャッタ１６を介して、ＣＣＤあるいはＣＭＯＳ等からなる撮像素子１７の撮像面上に結像される。
【００２１】
撮像素子１７で撮影された画像は、撮影条件（シャッタ速度や絞り値など）などの関連情報と共に撮影情報として、この電子カメラＣＭに着脱可能に装着される情報記録媒体（図２では不図示）に記録される。また、撮影画像は、カメラＣＭの背面に設けられた液晶パネル等からなる画像表示モニタ１８に表示することもできる。
【００２２】
また、この電子カメラＣＭは、無線アダプタＷＴ等の外部装置を着脱可能に電気的に接続するための、ＵＳＢコネクタ等からなる外部装置接続用コネクタ１９を備えている。同図では、無線アダプタＷＴに接続された接続ケーブル２０の先端に設けられたコネクタ（不図示）が該外部装置接続用コネクタ１９に接続されている様子が示されている。この外部装置接続用コネクタ１９は汎用コネクタであり、無線アダプタＷＴ以外の装置、例えば、パーソナルコンピュータ等を接続することもできる。
【００２３】
なお、この実施形態では、電子カメラＣＭは、必要に応じて接続される無線アダプタＷＴを介して管理装置ＰＣと通信するものとするが、電子カメラＣＭ内に、無線ＬＡＮ回線ＷＬに接続するための無線通信機能を具備させてもよい。
【００２４】
〔無線アダプタの外観構成〕
図３は無線アダプタＷＴの外観を示す平面図、図４は同じく正面図である。無線アダプタＷＴは、電子カメラＣＭで撮影された画像の無線ＬＡＮ回線ＷＬを介しての管理装置ＰＣへの転送を可能とするために、必要に応じて電子カメラＣＭに接続されて使用される無線装置である。
【００２５】
無線アダプタＷＴの後述する主要部（図６参照）は、アダプタケース２１内に収容されている。アダプタケース２１には突出するアンテナ２２が取り付けられている。但し、アンテナ２２は、この無線アダプタＷＴが使用する周波数帯域によっては、アダプタケース２１内に設けられていてもよい。
【００２６】
アダプタケース２１には、電池（バッテリパック）を収容するための電池収容部２３、イーサネット（登録商標）等のＬＡＮ回線に有線接続するためのＬＡＮコネクタ２４、及び商用電源を接続するための電源コネクタ２５等が設けられている（図３参照）。
【００２７】
この無線アダプタＷＴは、基本的には無線ＬＡＮ回線ＷＬに無線接続して、管理装置ＰＣと適宜に無線通信を行うものであるが、ＬＡＮコネクタ２４を介して、ＬＡＮ回線に有線接続して、管理装置ＰＣと有線通信を行うこともできるようになっている。
【００２８】
また、電子カメラＣＭに接続するためのコネクタ（ここでは、ＵＳＢコネクタ）２６、無線アダプタＷＴのメイン電源をオン／オフする電源スイッチ２７、電源のオン／オフ、データ通信中等を示す複数のＬＥＤ等からなるインジケータランプ２８等も設けられている（図４参照）。
【００２９】
さらに、アダプタケース２１には、ストラップを装着するための一対のストラップ受け２９が設けられており、例えば、首掛け用のストラップを用いて撮影者の首にストラップを掛けることにより、手持ちした電子カメラＣＭと共に行動できるようになっている。撮影者の腰ベルト等に装着可能な専用ケースに収容して、撮影者の腰ベルト等に装着できるようにしてもよい。
【００３０】
このように、この無線アダプタＷＴは、電子カメラＣＭに一体化されるタイプ（一体タイプ）ではなく、電子カメラＣＭに有線接続された状態で、電子カメラＣＭとは別に携帯されるタイプ（別体タイプ）である。無線アダプタＷＴとしては、電子カメラＣＭに一体化されるタイプでもよいが、一体タイプではカメラの機種毎にその形状や大きさ等に応じて、無線アダプタをそれぞれ構成する必要があり、汎用性を高くできないが、このような別体タイプにすることにより、電子カメラの機種によらず、対応することができ、汎用性を高くすることができる。
【００３１】
〔電子カメラの制御系の構成〕
図５はこの実施形態に係る電子カメラＣＭの制御系の構成を示すブロック図である。同図において、３１はこの電子カメラＣＭの全体を統括的に制御する撮影制御マイコンである。撮影制御マイコン３１は、マイクロコンピュータ等を備えて構成され、所定の制御プログラムに従って、後述する各ブロックから出力される信号の入力を受けて所定の演算を行い、演算結果に基づいて制御信号を各ブロックへ出力する。なお、この撮影制御マイコン３１を含む各ブロックであって、電源を必要とするものには、この電子カメラＣＭ内に設けられた不図示の電池（バッテリパック）から電力が供給されるようになっている。
【００３２】
撮像素子１７は撮影レンズＣＬを透過した被写体光を受光して画像信号（蓄積電荷としてのアナログ信号）を出力する。撮像素子１７からのアナログ信号は、不図示のアナログ／デジタル変換回路によって、ゲイン調整、デジタル信号変換されて、撮影制御マイコン３１に入力される。
【００３３】
撮影制御マイコン３１は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等で構成される不図示の画像処理回路（画像処理エンジン）を含んでいる。この画像処理回路は、Ａ／Ｄ変換回路から出力されるデジタル信号の原画像データ（ＲＡＷ画像データ）に対して、ホワイトバランス調整、シャープネス調整、ガンマ補正、階調調整等の画像処理を行う。
【００３４】
また、この画像処理回路は、必要に応じて所定の圧縮形式（ＪＰＥＧ、ＴＩＦＦ形式等）で圧縮する圧縮処理（現像処理）等も行う。原画像データ又は圧縮処理後の画像情報は、撮影日時、露出、シャッタ秒時、サムネイル画像、その他の撮影に関連する情報（関連情報）と共に、撮影情報ファイルとして、Ｅｘｉｆ（Ｅｘｃｈａｎｇｅａｂｌｅ  ｉｍａｇｅ  ｆｉｌｅ  ｆｏｒｍａｔ）等の所定の形式で、情報記録媒体３２に記録される。
【００３５】
なお、情報記録媒体３２に記録される画像形式（ＲＡＷ、ＪＰＥＧ、ＴＩＦＦ等）は、後述する設定操作部材３４を用いて、撮影者による設定操作によって選択できるようになっている。また、情報記録媒体３２に画像を記録すべきフォルダが設定されている場合には、撮影情報ファイルはその設定されたフォルダ内に記録される。撮影情報ファイルを記録すべきフォルダは、同じく後述する設定操作部材３４を用いて、撮影者による設定操作によって適宜に設定可能になっている。
【００３６】
情報記録媒体３２は、この電子カメラＣＭに設けられたスロット（不図示）に着脱可能に装着される可搬性を有する記録媒体であり、例えば、ＣＦカード、ＳＤカード、スマートメディア等が用いられる。なお、情報記録媒体３２に記録された撮影情報ファイルは、この電子カメラＣＭに上述した外部装置接続用コネクタ１９を介して接続されるパーソナルコンピュータ等に適宜転送し、あるいは情報記録媒体３２を電子カメラＣＭから取り出して、読み取り装置を介してパーソナルコンピュータ等に読み込ませることもできる。
【００３７】
モニタ駆動部３３は、画像表示モニタ１８の表示を駆動制御する。撮像素子１７の出力に基づく画像を、モニタ駆動部３３を介して画像表示モニタ１８にリアルタイム表示し、あるいは撮像された画像（情報記録媒体３２に記録された画像）を画像表示モニタ１８に表示させることもできるようになっている。
【００３８】
設定操作部材３４は、電源スイッチ、レリーズスイッチ（ボタン）、撮影モードダイヤル、メニュー表示ボタン、項目選択用十字キー、決定ボタン等を備えて構成され、撮影者が撮影のための各種の設定や各種のモード選択等を行うために操作される部材である。メニュー表示ボタンを押下することにより、画像表示モニタ１８上に複数のメニュー項目が表示され、項目選択用十字キーを用いて、所望のメニュー項目にカーソルを合わせ（例えば、反転表示させ）、決定ボタンを押下することにより、下位のメニューがある場合には、該下位のメニュー項目が表示されるので、以下同様に操作して、設定すべき項目を表示させて、選択することにより、設定や登録等を行うことができるようになっている。
【００３９】
この実施形態の電子カメラＣＭにおいては、このようなメニュー選択による設定項目として、上述した画像形式の選択、ホルダの登録や選択の他、情報記録媒体３２に記録された撮影情報ファイルの一部又は全部の削除、情報記録媒体３２のフォーマット（初期化）、外部装置接続用コネクタ１９に無線アダプタＷＴが接続されている場合には、無線アダプタＷＴが備える後述するフラッシュメモリ４２に記憶された撮影情報ファイルの一部又は全部の削除や編集、該フラッシュメモリ４２のフォーマット（初期化）等も行い得るようになっている。
【００４０】
情報表示駆動部３５は、ファインダ内表示装置及び／又は情報表示パネル（何れも不図示）の表示内容を駆動制御する。ファインダ内表示装置及び／又は情報表示パネルには、撮影モード、露出インジケータ、シャッタスピード、その他の撮影に関する各種の設定内容が表示される。
【００４１】
測光部３６は、ファインダＦＤ内に設けられた測光素子（不図示）から得られる信号（輝度信号）をＡ／Ｄ変換して撮影制御マイコン３１に出力する。測距部３７は、位相差方式のＡＦ検出装置（不図示）が備えるラインセンサから得られる出力（距離情報）をＡ／Ｄ変換して撮影制御マイコン３１に供給する。オートフォーカスモードでは、測距部３７からの距離情報に基づいて、撮影レンズＣＬ内に設けられた不図示のフォーカスレンズが合焦位置に移動される。
【００４２】
送受信回路３８は、外部装置接続用コネクタ１９に接続される外部装置（ここでは、無線アダプタＷＴ）と通信するための駆動回路であり、接続されている外部装置との間で各種のコマンドや情報の送受信を行う。
【００４３】
設定操作部材３４の一つであるレリーズスイッチが半押し操作されると、撮影制御マイコン３１は、測距部３７から得られる距離情報等に基づいて、撮影レンズＣＬのオートフォーカス動作等を実施すると共に、設定された撮影に関する情報や測光部３６から得られる測光値等に基づいて、適宜にシャッタスピードと絞り値が自動設定される。これらのシャッタスピードや絞り値は、情報表示駆動部３５を介してファインダ内表示装置及び／又は情報表示パネルに表示される。
【００４４】
レリーズスイッチが全押し操作されると、撮影制御マイコン３１により、不図示のシーケンス部材が駆動されて、クイックリターンミラー１１のアップ／ダウン動作、シャッタ１６の開放／閉塞動作等が実施され、撮影レンズＣＬを介した被写体の像が撮像素子１７に結像される。この間、所定のタイミングで、撮像素子１７からデータが読み出され、上述した必要な処理を行ってから、情報記録媒体３２に画像情報及び関連情報が設定された撮影情報ファイルが書き込まれる。
【００４５】
外部装置接続用コネクタ１９に無線アダプタＷＴが接続されており、撮影情報ファイルを無線アダプタＷＴに自動的に送信する自動送信モードに設定されている場合には、撮影情報ファイルは、撮影毎に順次、送受信回路３８を介して無線アダプタＷＴに送信される。この撮影情報ファイルの送信は、撮影情報ファイルを情報記録媒体３２に書き込む前又は書き込んだ後の何れかにおいて行われる。
【００４６】
情報記録媒体３２に、自動送信するための特定のホルダが選択された場合には、当該ホルダに記録された撮影情報ファイルが無線アダプタＷＴに自動送信される。また、撮影情報ファイルの画像形式（ＲＡＷ、ＪＰＥＧ、ＴＩＦＦ等）のうち、自動送信するための特定の画像形式が設定されている場合には、当該設定された画像形式に係る撮影情報ファイルのみを自動送信するようにできる。
【００４７】
電子カメラＣＭからの無線アダプタＷＴへの撮影情報ファイルの送信は、上述したように撮影毎に自動送信することだけではなく、情報記録媒体３２に記録された撮影情報ファイルから、撮影者が適宜に選択して個別的に、若しくは特定のグループ（特定のホルダ、特定の画像形式）毎に無線アダプタＷＴに一括的に送信することもできるようになっている。
【００４８】
なお、情報記録媒体３２に記録した撮影情報ファイルは、無線アダプタＷＴへの送信の有無にかかわらず、そのまま残しておくようにしてもよいし、情報記録媒体３２に記録した撮影情報ファイルのうち、無線アダプタＷＴに送信した撮影情報ファイルについては、情報記録媒体３２から自動的に削除するようにしてもよい。これらの何れの処理とするかを、撮影者による選択設定に応じて、変更できるようにしてもよい。
【００４９】
〔無線アダプタＷＴの制御系の構成〕
図６はこの実施形態に係る無線アダプタＷＴの制御系の構成を示すブロック図である。同図において、４１は無線アダプタＷＴの全体を統括的に制御する無線制御マイコンである。無線制御マイコン４１は、マイクロコンピュータ等から構成されており、所定の制御プログラムを読み込んで実行することにより、後述する各機能が実現される。なお、この無線制御マイコン４１を含む各ブロックであって、電源を必要とするものには、不図示の電池（バッテリパック）から電力が供給されるようになっている。
【００５０】
４２は電源を切っても記憶内容を保持する不揮発性のメモリ（ストレージ）であり、ここではフラッシュメモリが用いられている。フラッシュメモリ４２の記憶容量としては、多数の撮影情報ファイルを記憶保持できるように、例えば１ＧＢ程度のものが用いられている。送受信回路４３は、電子カメラＣＭの送受信回路３８と通信するための駆動回路であり、電子カメラＣＭとの間で各種のコマンドや情報の送受信を行う。
【００５１】
無線送受信回路４４は、無線ＬＡＮ回線ＷＬを介して、管理装置ＰＣとの間で無線リンクを確立し、各種のコマンドや情報の送受信を行う。
【００５２】
無線制御マイコン４１は、送受信回路４３を介して電子カメラＣＭから送られてくる撮影情報ファイルを、フラッシュメモリ４２に順次記憶させる。無線制御マイコン４１は、後述するように、管理装置ＰＣから撮影情報ファイルの転送要求（ファイル取得要求）があった場合に、該転送要求に係る撮影情報ファイルをフラッシュメモリ４２から読み出し、無線送受信回路４４を介して、管理装置ＰＣに向けて該撮影情報ファイルを送信する。
【００５３】
無線制御マイコン４１は、フラッシュメモリ４２に記憶された撮影情報ファイルを、無線ＬＡＮ回線ＷＬを介して管理装置ＰＣに送信されるまでは、記憶保持させる。なお、本実施形態においては、無線ＬＡＮ回線ＷＬを介して管理装置ＰＣに転送した撮影情報ファイルについては、フラッシュメモリ４２にそのまま記憶させておくものとする。ただし、この点については、管理装置ＰＣに転送完了した時点で、その転送したファイルをフラッシュメモリ４２から自動的に削除するようにしてもよいし、あるいは、そのまま保持／自動削除の何れか一方をユーザが任意に選択できるように構成していても良い。
【００５４】
無線制御マイコン４１は、フラッシュメモリ４２に、撮影情報ファイルが順次記憶されて、次の撮影情報ファイルを記憶できるだけの残容量がなくなった場合には、最も古い撮影情報ファイルから順次削除して、新たな撮影情報ファイルを順次記憶させるようになっている。本実施形態では、この場合において、無線ＬＡＮ回線ＷＬを介して管理装置ＰＣに転送した撮影情報ファイルが記憶保持されていた場合には、その転送済みの撮影情報ファイルの中でも古いものから順次削除して、新たな撮影情報ファイルを順次記憶させるようになっている。
【００５５】
次に、この無線アダプタＷＴの機能構成について、図８に示す機能構成ブロック図を参照して説明する。無線アダプタＷＴは、無線制御マイコン４１が所定の制御プログラムを実行することによって実現される複数の機能部として、ファイル受信部６１、リスト送信部（リスト情報送信手段）６２、サムネイル送信部（サムネイル画像送信手段）６３、ファイル送信部（撮影情報送信手段）６４等を備えている。
【００５６】
ファイル受信部６１は、電子カメラＣＭから撮影情報ファイルを受信してフラッシュメモリ４２に記憶させる。リスト送信部６２は、フラッシュメモリ４２内の撮影情報ファイルが更新（追加、削除等）された場合に、ファイルリストＦＬを生成／更新すると共に、該ファイルリストＦＬを管理装置ＰＣに対して送信する。このファイルリストＦＬは、図１２に示されているように、装置の名称（無線アダプタ名）、その無線アダプタＷＴのフラッシュメモリ４２に記憶されている撮影情報ファイルのファイル名及び撮影時刻（撮影日時）情報（年月日時分秒）からなるリストである。なお、ここでは、撮影時刻情報を含めているが、ファイル名のみからなるリストであってもよいし、他の関連情報が含まれていてもよい。
【００５７】
なお、管理装置ＰＣに送信するファイルリストＦＬには、フラッシュメモリ４２に記憶された全ての撮影情報ファイルに係るファイル名を設定するようにしてもよいし、あるいは既にファイルリストを管理装置ＰＣに送ったことがある場合には、未転送に係るファイル名（既に送ったファイルリスト内に設定されているファイル名は除いたもの）を設定するようにしてもよい。
【００５８】
サムネイル送信部６３は、管理装置ＰＣから送られるサムネイル画像取得要求（第１転送指示）を受信した場合に、該サムネイル画像取得要求に含まれる単一又は複数のファイル名（第１の識別情報）に対応する撮影情報ファイルに関連情報として含まれているサムネイル画像をフラッシュメモリ４２から読み出して、該サムネイル画像を管理装置ＰＣに送信する。
【００５９】
ファイル送信部６４は、管理装置ＰＣから送られるファイル取得要求（第２転送指示）を受信した場合に、該ファイル取得要求に含まれる単一又は複数のファイル名（第２の識別情報）に対応する撮影情報ファイルをフラッシュメモリ４２から読み出して、管理装置ＰＣに送信する。
【００６０】
〔管理装置の構成〕
図７はこの実施形態に係る管理装置ＰＣの構成を示すブロック図である。この実施形態の管理装置ＰＣは、一般的なパーソナルコンピュータから構成されており、制御部（ＣＰＵ等）５１、記憶部（ハードディスク等）５２、表示部（ＬＣＤ又はＣＲＴ等）５３、入力部（キーボード、マウス等）５４、及び通信部（通信インタフェースカード等）５５を備えて構成されている。通信部５５は無線ＬＡＮ回線ＷＬのアクセスポイント（ＡＰ）５６に、インターネット等の公衆回線（又は専用回線）を介して接続される。記憶部５２に予め記憶された所定の管理プログラム（表示アプリケーションソフト）を制御部５１が実行することにより、管理装置ＰＣとしての各種の機能が実現される。
【００６１】
この管理装置ＰＣ（管理プログラム）の機能構成は、図８に示されている。管理装置ＰＣは、制御部５１が所定の管理プログラムを実行することによって実現される複数の機能部として、リスト受信部（リスト受信手段）７１、リスト表示制御部（リスト表示制御手段）７２、サムネイル選択部（第１選択手段）７３、サムネイル要求部（第１転送指示手段）７４、サムネイル受信部（サムネイル受信手段）７５、サムネイル表示制御部（サムネイル表示制御手段）７６、ファイル選択部（第２選択手段）７７、ファイル要求部（第２転送指示手段）７８、及びファイル受信部（撮影情報受信手段）７９等を備えて構成されている。
【００６２】
リスト受信部７１は、無線アダプタＷＴのリスト送信部６２から送られるファイルリストＦＬを受信する。リスト受信部７１により受信されたファイルリストＦＬは、リスト表示制御部７２に送られ、リスト表示制御部７２により、表示部５３に表示される。リスト表示制御部７２によるファイルリストＦＬの表示方法としては、各種のものが考えられるが、例えば、ファイル名を一覧表示することにより行うことができる。このとき、該ファイルリストＦＬに撮影時刻情報等の関連情報が含まれている場合には、該関連情報の一部又は全部をも表示するようにしてもよい。また、同様に、該ファイルリストＦＬに撮影時刻情報が含まれている場合には、ファイル名を撮影時刻順（撮影時刻が早い順又は遅い順）に表示するようにしてもよい。
【００６３】
サムネイル選択部７３は、リスト表示制御部７２により表示部５３に表示されたファイルリストＦＬの中から、サムネイル画像を転送すべき撮影情報ファイルのファイル名を使用者（管理装置ＰＣの使用者）の操作に従って選択する。ファイル名の選択は、一つずつ選択するようにしてもよいし、あるいは範囲指定等により複数を同時に選択できるようにしてもよい。ファイルリストＦＬの表示及び転送すべきサムネイル画像の選択操作の具体例に関しては、図１３を参照して後述する。
【００６４】
サムネイル要求部７４は、サムネイル選択部７３により選択されたファイル名を含むサムネイル画像取得要求（第１転送指示）を無線アダプタＷＴに送信する。サムネイル受信部７５は、サムネイル要求部７４によるサムネイル画像取得要求に応じて、無線アダプタＷＴのサムネイル送信部６３から送られるサムネイル画像を受信する。サムネイル受信部７５により受信されたサムネイル画像は、サムネイル表示制御部７６に送られ、サムネイル表示制御部７６により、表示部５３に表示される。サムネイル表示制御部７６によるサムネイル画像の表示方法としては、各種のものが考えられるが、例えば、表示部５３に表示されているファイルリストＦＬと関係付けて該サムネイル画像を表示することにより行うことができる。
【００６５】
ファイル選択部７７は、サムネイル表示制御部７６により表示部５３に表示されたサムネイル画像の中から、転送すべき撮影情報ファイルのファイル名を使用者（管理装置ＰＣの使用者）の操作に従って選択する。ファイル名の選択は、一つずつ選択するようにしてもよいし、あるいは範囲指定等により複数を同時に選択できるようにしてもよい。サムネイル画像の表示及び転送すべき撮影情報ファイルの選択操作の具体例に関しては、図１３を参照して後述する。
【００６６】
ファイル要求部７８は、ファイル選択部７７により選択されたファイル名を含むファイル取得要求（第２転送指示）を無線アダプタＷＴに送信する。ファイル受信部７９は、ファイル要求部７８によるファイル取得要求に応じて、無線アダプタＷＴのファイル送信部６４から送られる撮影情報ファイルを受信する。ファイル受信部７９は、受信した撮影情報ファイルを記憶部５２に記憶させる。
【００６７】
〔電子カメラにおける処理〕
次に、電子カメラＣＭにおける処理について、図９に示すフローチャートを参照して説明する。なお、ここでは、電子カメラＣＭにおいて、撮影毎にその都度、撮影情報ファイルを無線アダプタＷＴに自動送信する自動送信モードに設定されているものとする。
【００６８】
電子カメラＣＭにおいては、まず、レリーズスイッチが操作（全押し）されると（Ｓ１１）、画像情報及び撮影に関連する関連情報が設定された撮影情報ファイルを、情報記録媒体３２に記録する（Ｓ１２）。次いで、ファイル保存要求（コマンド）を当該撮影情報ファイルと共に無線アダプタＷＴに送信する（Ｓ１３）。撮影情報ファイルの送信後は、Ｓ１１に戻って、次のレリーズスイッチの操作待ちとなる。
【００６９】
なお、ここでは、撮影情報ファイルを情報記録媒体３２に記録した後に、無線アダプタＷＴに送信するようにしたが、これとは逆に、無線アダプタＷＴに送信した後に、情報記録媒体３２に記録するようにしてもよい。また、無線アダプタＷＴに撮影情報ファイルを送信する場合には、情報記録媒体３２に該撮影情報ファイルを記録しないようにしてもよいし、情報記録媒体３２に撮影情報ファイルを記録し、その後に無線アダプタＷＴに撮影情報ファイルを送信した場合に、該撮影情報ファイルを情報記録媒体３２から削除するようにしてもよい。
【００７０】
〔無線アダプタにおける処理〕
次に、無線アダプタＷＴにおける処理について、図１０に示すフローチャートを参照して説明する。なお、管理装置ＰＣとの無線リンクは確立しているものとする。無線アダプタＷＴにおいては、まず、管理装置ＰＣに対して、「ファイルリスト更新通知」が送信される（Ｓ１０１）。この「ファイルリスト更新通知」は、無線アダプタＷＴのフラッシュメモリ４２内の記憶内容が更新（追加、削除等）された場合に、送信される。
【００７１】
次いで、管理装置ＰＣからの「ファイルリスト取得要求」の有無が判断され（Ｓ１０２）、「ファイルリスト取得要求」があった場合（ＹＥＳの場合）には、図１２に示されているようなファイルリストＦＬを管理装置ＰＣに送信して（Ｓ１０３）、Ｓ１０４に進み、「ファイルリスト取得要求」がなかった場合（ＮＯの場合）にはＳ１０３を実行せずにＳ１０４に進む。
【００７２】
Ｓ１０４において、管理装置ＰＣからの「サムネイル画像取得要求」の有無が判断され、「サムネイル画像取得要求」があった場合（ＹＥＳの場合）には、該取得要求により指定されたサムネイル画像（即ち、該取得要求に含まれる識別情報（第１の識別情報）としてのファイル名に対応するサムネイル画像）をフラッシュメモリ４２から読み出して、該指定されたサムネイル画像を管理装置ＰＣに送信して（Ｓ１０５）、Ｓ１０６に進み、「サムネイル画像取得要求」がなかった場合（ＮＯの場合）にはＳ１０５を実行せずにＳ１０６に進む。
【００７３】
Ｓ１０６において、管理装置ＰＣからの「ファイル取得要求」の有無が判断され、「ファイル取得要求があった場合（ＹＥＳの場合）には、該取得要求により指定された撮影情報ファイル（即ち、該取得要求に含まれる識別情報（第２の識別情報）としてのファイル名に対応する撮影情報ファイル）を管理装置ＰＣに送信して（Ｓ１０７）、Ｓ１０８に進み、「ファイル取得要求」なかった場合（ＮＯの場合）には、Ｓ１０７を実行せずにＳ１０８に進む。
【００７４】
Ｓ１０８において、電子カメラＣＭからの「ファイル保存要求」の有無が判断され、「ファイル保存要求」があった場合（ＹＥＳの場合）には、指定された撮影情報ファイル（即ち、ファイル保存要求と共に送られてきた撮影情報ファイル）をフラッシュメモリ４２に保存し、ファイルリストＦＬを更新して、Ｓ１０１に戻る。Ｓ１０８において、電子カメラＣＭから「ファイル保存要求」がない場合（ＮＯの場合）には、終了指示の有無を判断し（Ｓ１１０）、終了指示がない場合（ＮＯの場合）にはＳ１０２に戻り、終了指示がある場合（ＹＥＳの場合）には、この処理を終了する。
【００７５】
〔管理装置における処理〕
次に、管理装置ＰＣにおける処理について、図１１に示すフローチャートを参照して説明する。管理装置ＰＣにおいては、まず、無線アダプタＷＴからの「ファイルリスト更新通知」の受信の有無が判断され（Ｓ２０１）、「ファイルリスト更新通知」を受信したと判断された場合（ＹＥＳの場合）には、対応する無線アダプタＷＴ（該更新通知を送ってきた無線アダプタＷＴ）に、「ファイルリスト取得要求」を送信し、該無線アダプタＷＴからファイルリストＦＬを受信し、表示部５３に表示して（Ｓ２０２）、Ｓ２０３に進む。Ｓ２０１で「ファイルリスト更新通知」を受信していないと判断された場合（ＮＯの場合）には、Ｓ２０２を実行せずに、Ｓ２０３に進む。
【００７６】
Ｓ２０３において、ファイルリストＦＬ、ウインドウサイズ（表示画面サイズ）、及びスクロール位置のうちの少なくとも１つが変更されたか否かが判断され、変更されたと判断された場合（ＹＥＳの場合）には、通信中の全ての無線アダプタＷＴについてのファイルリストＦＬ、現在のウインドウサイズ及びスクロール位置より、表示するサムネイル画像を決定し（Ｓ２０４）、「サムネイル画像取得要求」を対応する無線アダプタＷＴに送信し、該無線アダプタＷＴから送られてくるサムネイル画像を受信して、表示部に表示し（Ｓ２０５）、Ｓ２０１に戻る。Ｓ２０３において、変更されていないと判断された場合（ＮＯの場合）には、Ｓ２０６に進む。
【００７７】
Ｓ２０６において、管理装置ＰＣの使用者により、撮影情報ファイルの取得が指示されたか否かが判断され、撮影情報ファイルの取得が指示されたと判断した場合（ＹＥＳの場合）には、対応する無線アダプタＷＴに「ファイル取得要求」を送信し、該無線アダプタＷＴから送られてくる撮影情報ファイルを受信して（Ｓ２０７）、Ｓ２０１に戻る。受信した撮影情報ファイルは、管理装置ＰＣが備える記憶部（ハードディスク等）５２に記憶される。Ｓ２０６において、撮影情報ファイルの取得が指示されていないと判断した場合（ＮＯの場合）には、Ｓ２０８に進む。
【００７８】
Ｓ２０８において、終了指示の有無を判断し、終了指示がない場合（ＮＯの場合）にはＳ２０１に戻り、終了指示がある場合（ＹＥＳの場合）には、この処理を終了する。
【００７９】
図１３は、上述した管理装置ＰＣにおける処理において、該管理装置ＰＣが備える表示部５３に表示される内容の一例を示す図である。同図において、８１は管理装置ＰＣにおいて実行されている管理プログラムにより表示部５３に表示されたウインドウ（ワイヤレスビューアー）を示している。このウインドウ８１は、サムネイル表示部８２及びファイル情報表示部８３を備えて構成されている。
【００８０】
サムネイル表示部８２には、各無線アダプタＷＴから送られたファイルリストＦＬ内の各ファイル名に対応して、サムネイル画像を表示するための複数の画像枠８４が表示されている。サムネイル画像を未受信の状態では、枠線のみが表示されている。無線アダプタＷＴからサムネイル画像を受信すると、対応する画像枠８４内に該サムネイル画像が表示される。
【００８１】
画像枠８４の表示順は、ここでは、ファイルリストＦＬには、ファイル名の他に撮影時刻情報が含まれているので、何れの無線アダプタＷＴ（ＷＴ１〜ＷＴ３）から取得したものかにかかわらず、撮影時刻順に表示するようにしている。但し、撮影時刻順ではなく、撮影情報ファイルの取得順に表示するようにしてもよい。また、各無線アダプタＷＴ（ＷＴ１〜ＷＴ３）毎に、グループ化した上で（例えば、ウインドウを分割して）表示するようにしてもよい。さらに、何らかの属性毎にグループ化して表示するようにしてもよい。
【００８２】
サムネイル表示部８２の側部（同図において右側）には、スクロールバー８５が設けられており、このスクロールバー８５をマウス又はキーボードのカーソルキー等を用いて操作（一例として、スクロールバー８５を上下させ、あるいは両端（上下端）の三角ボタン８６を押下）することにより、サムネイル表示部８２の表示内容を上下にスクロールすることができるようになっている。なお、ここでは、スクロールバー８５としては、上下にスクロールさせるためのもののみを設けているものとするが、左右にスクロールするもののみを設けてもよいし、あるいはこれらの両者を設けてもよい。
【００８３】
このウインドウ８１の全体は、マウスによる操作等によって、その大きさを変更することができるようになっており、このウインドウサイズの変更により、サムネイル表示部８２に表示される画像枠（サムネイル画像）８４の数を変更できるようになっている。同図では、横に５個、縦に３個の合計１５個が表示されているが、ウインドウ８１の横方向のサイズを変更することにより、横方向の表示個数を増減でき、ウインドウ８１の縦方向のサイズを変更することにより、縦方向の表示個数を増減できる。
【００８４】
ウインドウ８１のウインドウサイズの変更及び／又はスクロールバー８５の操作によるスクロールが行われると、サムネイル表示部８２内に表示中の複数の画像枠に対応するファイル名が設定されたファイルリストＦＬに対応するサムネイル画像についての、「サムネイル画像取得要求」が無線アダプタＷＴに送信され、その要求に応じて無線アダプタＷＴから送られてくる対応するサムネイル画像が対応する画像枠８４内に表示される。なお、サムネイル画像の重複受信を防止するため、「サムネイル画像取得要求」には、サムネイル表示部８２内に表示されている全ての画像枠８４に対応するファイル名が設定されるのではなく、ウインドウサイズの変更やスクロールによって、新たに表示されることになった画像枠（サムネイル画像未受信のもの）に対応するファイル名のみが設定されるようになっている。つまり、既にサムネイル画像を受信した画像枠８４に係るサムネイル画像の転送は行われないようになっている。
【００８５】
このように、この例では、ウインドウサイズの変更やスクロール操作等が、無線アダプタＷＴから転送を受けるべきサムネイル画像を選択する操作となる。
【００８６】
画像枠（サムネイル画像）８４内をマウスでクリック（又はキーボードのカーソルキー等を操作）することにより、画像枠８４についてのカーソル８７を画像枠８４単位で移動させることができる。即ち、マウスでクリックした画像枠８４がその余の画像枠８４に対して強調表示（太線、色違い等）される。キーボードのカーソルキーを操作することにより、該強調表示されたカーソル８７を画像枠８４間で順次移動させることもできるようになっている。
【００８７】
また、例えば、キーボードのシフト（Ｓｈｉｆｔ）キーを押しながら、画像枠８４を２箇所クリックすることにより、その間に含まれる全ての画像枠８４を同時に選択し、あるいはキーボードのコントロール（Ｃｔｒｌ）キーを押しながら、複数の画像枠８４を任意にクリックすることにより、該クリックした複数の画像枠８４を同時に選択することもできるようになっている。この場合には、カーソル８７は、同時に選択された複数の画像枠８４のそれぞれについて表示される。
【００８８】
カーソル８７が設定された画像枠（サムネイル画像）８４については、該画像枠（サムネイル画像）に係る撮影情報ファイルが保存されている無線アダプタＷＴの装置名（同図では、ＷＴ１）、ファイル名（同図では、ＤＳＣ＿００２３．ＪＰＧ）、及び撮影日時（同図では、２００７／０６／０６  １３時２４分３５秒）がファイル情報として、ファイル情報表示部８３に表示されるようになっている。
【００８９】
ファイル情報表示部８３内には、ファイル取得ボタン（アイコン）８８が表示されており、このファイル取得ボタン８８をマウスで押下（クリック）することにより、カーソル８７が設定されている単一又は複数のサムネイル画像に係るファイル名が設定された「ファイル取得要求」が無線アダプタＷＴ（この場合にはＷＴ１）に送信され、該無線アダプタＷＴから対応する撮影情報ファイルが受信されることになる。
【００９０】
撮影情報ファイルが受信された場合には、サムネイル画像の左隅部に、撮影情報ファイルを受信（取得）済みであることを示すファイル取得済みマーク（レ点）８９が表示されるようになっている。なお、ファイル取得ボタン８８を押下（クリック）する代わりに、あるいはこれと共に、サムネイル画像が表示された画像枠８４内をダブルクリックする等により、「ファイル取得要求」を対応する無線アダプタＷＴに送信するようにしてもよい。
【００９１】
このように、ここでは、マウス等を用いたカーソル８７の移動操作及びファイル取得ボタン８８の操作等が、無線アダプタＷＴから転送を受けるべき撮影情報ファイルを選択する操作となる。
【００９２】
上述した実施形態によると、無線アダプタＷＴのフラッシュメモリ４２に記憶された撮影情報ファイルを識別するためのファイル名を含むファイルリストを、無線アダプタＷＴにおいてフラッシュメモリ４２が更新された時に、管理装置ＰＣに送るようにしている。従って、管理装置ＰＣにおいて、各無線アダプタＷＴ内に記憶保存されている撮影情報ファイルの数（及びファイルリストが撮影時刻情報を含む場合には該撮影時刻）を、即ち各無線アダプタＷＴが接続された電子カメラＣＭによる撮影の進捗状況を知ることができる。しかも、このファイルリストはファイル名及び撮影時刻情報等の文字データであるから、データ量は小さく、情報の転送が比較的に頻繁になされたとしても、無線ＬＡＮ回線ＷＬのトラフィックに悪影響を与えることは殆ど無い。
【００９３】
次いで、管理装置ＰＣにおける選択に応じてサムネイル画像を転送すべき撮影情報ファイルに係るファイル名が設定された「サムネイル取得要求」を管理装置ＰＣから無線アダプタＷＴに送り、該サムネイル取得要求に設定されたファイル名に対応する撮影情報ファイルに係るサムネイル画像を、管理装置ＰＣに送るようにしている。従って、管理装置ＰＣにおいて必要なサムネイル画像のみが無線アダプタＷＴから管理装置ＰＣに送られることになる。これにより、管理装置ＰＣにおいて、撮影画像の大まかな確認を行うことができる。サムネイル画像のデータ量は撮影情報ファイルのデータ量と比較して小さく、しかも管理装置ＰＣにおいて選択されたもののみが転送され、さらにその選択は時間的に分散されるため、無線ＬＡＮ回線ＷＬのトラフィックに悪影響を与えることは殆ど無い。
【００９４】
その後に、管理装置ＰＣから該管理装置ＰＣに転送すべき撮影情報ファイルに係るファイル名を含むファイル取得要求を無線アダプタＷＴに送り、対応する撮影情報ファイルを無線アダプタＷＴから管理装置ＰＣに送るようにしている。従って、管理装置ＰＣにおいて必要な撮影情報ファイルのみが無線アダプタＷＴから管理装置ＰＣに送られることになる。撮影情報ファイルは、撮影画像を含むためにそのデータ量が比較的に大きいが、管理装置ＰＣにおいて選択されたもののみが転送されるため、しかも、その選択は時間的に分散されるため、無線ＬＡＮ回線ＷＬのトラフィックに悪影響を与えることなく、必要な撮影情報ファイルのみを転送することが可能となる。
【００９５】
上述したように、本実施形態では、管理装置ＰＣにおいて必要な撮影情報ファイルのみを選択的に転送することが可能なので、従来技術のように、全ての撮影情報を無線アダプタから一方的に管理装置に送るものと比較して、無線ＬＡＮ回線のトラフィックを大幅に軽減することができ、無線ＬＡＮ回線のトラフィックが過剰となって迅速な転送ができないという問題が解消される。また、より重要度の高い撮影情報ファイルの転送が後回しになったりするという問題も同時に解消される。
【００９６】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【図面の簡単な説明】
【００９７】
【図１】本発明の実施形態の通信システムの概略構成を示すブロック図である。
【図２】本発明の実施形態の電子カメラの概略構成を示す断面図である。
【図３】本発明の実施形態の無線アダプタの外観構成を示す平面図である。
【図４】本発明の実施形態の無線アダプタの外観構成を示す正面図である。
【図５】本発明の実施形態の電子カメラの制御系の概略構成を示すブロック図である。
【図６】本発明の実施形態の無線アダプタの制御系の概略構成を示すブロック図である。
【図７】本発明の実施形態の管理装置の制御系の概略構成を示すブロック図である。
【図８】本発明の実施形態の無線アダプタ及び管理装置のソフトウエア（プログラム）の機能構成を示すブロック図である。
【図９】本発明の実施形態の電子カメラにおける要部処理を示すフローチャートである。
【図１０】本発明の実施形態の無線アダプタにおける要部処理を示すフローチャートである。
【図１１】本発明の実施形態の管理装置における要部処理を示すフローチャートである。
【図１２】本発明の実施形態のファイルリストの一例を示す図である。
【図１３】本発明の実施形態の管理装置の表示部に表示される具体例を示す図である。
【符号の説明】
【００９８】
ＣＭ（ＣＭ１〜ＣＭ３）…電子カメラ、ＷＴ（ＷＴ１〜ＷＴ３）…無線アダプタ、ＷＬ…無線ＬＡＮ回線、ＰＣ…管理装置（パーソナルコンピュータ）、ＦＬ…ファイルリスト、ＣＬ…撮影レンズ、１７…撮像素子、１９…外部装置接続用コネクタ、２０…接続ケーブル、２１…アダプタケース、２２…アンテナ、２４…有線ＬＡＮ接続用コネクタ、２６…ＵＳＢコネクタ、３１…撮影制御マイコン、３２…情報記録媒体、３８…送受信回路、４１…無線制御マイコン、４２…フラッシュメモリ、４３…送受信回路、４４…無線送受信回路、５１…制御部、５２…記憶部、５３…表示部、５４…入力部、５５…通信部、５６…アクセスポイント、６１…ファイル受信部、６２…リスト送信部、６３…サムネイル送信部、６４…ファイル送信部、７１…リスト受信部、７２…リスト表示制御部、７３…サムネイル選択部、７４…サムネイル要求部、７５…サムネイル受信部、７６…サムネイル表示制御部、７７…ファイル選択部、７８…ファイル要求部、７９…ファイル受信部、８１…ウインドウ、８２…サムネイル表示部、８３…ファイル情報表示部、８４…画像枠、８５…スクロールバー、８７…カーソル、８８…ファイル取得ボタン、８９…ファイル取得済みマーク。
【図１】
0005088472.tif 000002
【図２】
0005088472.tif 000003
【図３】
0005088472.tif 000004
【図４】
0005088472.tif 000005
【図５】
0005088472.tif 000006
【図６】
0005088472.tif 000007
【図７】
0005088472.tif 000008
【図８】
0005088472.tif 000009
【図９】
0005088472.tif 000010
【図１０】
0005088472.tif 000011
【図１１】
0005088472.tif 000012
【図１２】
0005088472.tif 000013
【図１３】
0005088472.tif 000014